(57)【要約】【課題】ユーザが待受画面やデスクトップ（画面）などの基本操作画面から前に表示していた画面に容易に戻れるようにすること。【解決手段】携帯電話機１０は、起動したアプリケーション・プログラムと該プログラムにより表示部１０５に表示された画面とを示す情報を画面履歴としてデータベース１２に格納する履歴格納部１１と、待受画面が表示部１０５に表示されているときに特定のキー入力を受け付ける受付部１３と、当該キー入力が受け付けられたことを契機としてデータベース１２から画面履歴を読み出し、該画面履歴で示されるアプリケーション・プログラムを起動すると共に、該画面履歴で示される画面が表示部１０５に表示されるように該アプリケーション・プログラムを制御する表示制御部１４と、を備える。【選択図】図１
2011205254.tif 000002
【特許請求の範囲】
【請求項１】
起動したアプリケーション・プログラムと該プログラムによりモニタに表示された画面とを示す情報を画面履歴としてデータベースに格納する格納手段と、
基本操作画面が前記モニタに表示されているときに特定のキー入力を受け付ける受付手段と、
前記受付手段により前記特定のキー入力が受け付けられたことを契機として前記データベースから画面履歴を読み出し、該画面履歴で示されるアプリケーション・プログラムを起動すると共に、該画面履歴で示される画面が前記モニタに表示されるように該アプリケーション・プログラムを制御する表示制御手段と、
を備える情報端末。
【請求項２】
前記格納手段が、起動したアプリケーション・プログラムと該プログラムにより前記モニタに最後に表示された画面とを示す情報を画面履歴として前記データベースに格納し、
前記表示制御手段が、前記データベースから読み出した前記画面履歴で示されるアプリケーション・プログラムを起動すると共に、該画面履歴で示される前記最後に表示された画面が前記モニタに表示されるように該アプリケーション・プログラムを制御する、
請求項１に記載の情報端末。
【請求項３】
前記受付手段が、前記表示制御手段の制御により前記画面履歴で示される画面が表示されているときに別のキー入力を受け付け、
前記表示制御手段が、前記受付手段により前記別のキー入力が受け付けられたことを契機として前記データベースから別の画面履歴を読み出し、該別の画面履歴で示されるアプリケーション・プログラムを起動すると共に、該別の画面履歴で示される前記最後に表示された画面が前記モニタに表示されるように該アプリケーション・プログラムを制御する、
請求項２に記載の情報端末。
【請求項４】
モニタを備える情報端末により実行される画面表示方法であって、
起動したアプリケーション・プログラムと該プログラムにより前記モニタに表示された画面とを示す情報を画面履歴としてデータベースに格納する格納ステップと、
基本操作画面が前記モニタに表示されているときに特定のキー入力を受け付ける受付ステップと、
前記受付ステップにおいて前記特定のキー入力が受け付けられたことを契機として前記データベースから画面履歴を読み出し、該画面履歴で示されるアプリケーション・プログラムを起動すると共に、該画面履歴で示される画面が前記モニタに表示されるように該アプリケーション・プログラムを制御する表示制御ステップと、
を含むことを特徴とする画面表示方法。
【発明の詳細な説明】
【技術分野】
【０００１】
本発明は、待受画面やデスクトップ（画面）などの基本操作画面を表示する情報端末及びその画面表示方法に関する。
【背景技術】
【０００２】
従来から、待受画面やデスクトップ（画面）などの基本操作画面を表示する情報端末が知られている。ユーザは基本操作画面から所定の操作を行うことで所望の画面を端末上に表示させることができる。例えば下記特許文献１には、待受画面の表示中にユーザが所定の操作を行うと機能メニューを表示する携帯端末装置が記載されている。
【先行技術文献】
【特許文献】
【０００３】
【特許文献１】特開２００９−３８４９４号公報
【発明の概要】
【発明が解決しようとする課題】
【０００４】
所望の画面（例えばウェブサイトの画面や端末機能設定の画面など）から基本操作画面に戻ると、戻る前に見ていた画面を再度表示させるためにユーザは必要な操作を最初からやり直さなければならない。例えば誤操作により基本操作画面に戻ってしまった場合には、ユーザはそれまでの操作をやり直す必要があり、その分操作の手間がかかる。その結果、ユーザは不満を感じるなどしてしまう。
【０００５】
そこで本発明は、待受画面やデスクトップ（画面）などの基本操作画面から前に表示していた画面に容易に戻ることが可能な情報端末及び画面表示方法を提供することを目的とする。
【課題を解決するための手段】
【０００６】
本発明の情報端末は、起動したアプリケーション・プログラムと該プログラムによりモニタに表示された画面とを示す情報を画面履歴としてデータベースに格納する格納手段と、基本操作画面がモニタに表示されているときに特定のキー入力を受け付ける受付手段と、受付手段により特定のキー入力が受け付けられたことを契機としてデータベースから画面履歴を読み出し、該画面履歴で示されるアプリケーション・プログラムを起動すると共に、該画面履歴で示される画面がモニタに表示されるように該アプリケーション・プログラムを制御する表示制御手段と、を備える。
【０００７】
本発明の画面表示方法は、モニタを備える情報端末により実行される画面表示方法であって、起動したアプリケーション・プログラムと該プログラムによりモニタに表示された画面とを示す情報を画面履歴としてデータベースに格納する格納ステップと、基本操作画面がモニタに表示されているときに特定のキー入力を受け付ける受付ステップと、受付ステップにおいて特定のキー入力が受け付けられたことを契機としてデータベースから画面履歴を読み出し、該画面履歴で示されるアプリケーション・プログラムを起動すると共に、該画面履歴で示される画面がモニタに表示されるように該アプリケーション・プログラムを制御する表示制御ステップと、を含むことを特徴とする。
【０００８】
このような発明によれば、まず、アプリケーション・プログラムにより表示された画面の履歴がデータベースに格納される。その後、基本操作画面の表示中に所定のキー入力が行われると、データベース内の画面履歴に基づいてアプリケーション・プログラムが起動し、以前に表示されていた画面が再表示される。したがってユーザは、基本操作画面から前に表示していた画面に容易に戻ることができる。
【０００９】
本発明の情報端末では、格納手段が、起動したアプリケーション・プログラムと該プログラムによりモニタに最後に表示された画面とを示す情報を画面履歴としてデータベースに格納し、表示制御手段が、データベースから読み出した画面履歴で示されるアプリケーション・プログラムを起動すると共に、該画面履歴で示される最後に表示された画面がモニタに表示されるように該アプリケーション・プログラムを制御してもよい。
【００１０】
この場合には、アプリケーション・プログラムが起動中に最後に表示された画面が再表示されるので、ユーザは当該プログラムを終了した直前の状態に戻って、必要であればそこから新たな操作を行うことができる。
【００１１】
本発明の情報端末では、受付手段が、表示制御手段の制御により画面履歴で示される画面が表示されているときに別のキー入力を受け付け、表示制御手段が、受付手段により別のキー入力が受け付けられたことを契機としてデータベースから別の画面履歴を読み出し、該別の画面履歴で示されるアプリケーション・プログラムを起動すると共に、該別の画面履歴で示される最後に表示された画面がモニタに表示されるように該アプリケーション・プログラムを制御してもよい。
【００１２】
この場合には、キー入力が受け付けられる度に、アプリケーション・プログラム毎に、最後に表示された画面が再表示されるので、ユーザは短時間で別のアプリケーション・プログラムの画面まで辿ることができる。
【発明の効果】
【００１３】
このような情報端末及び画面表示方法によれば、基本操作画面の表示中に所定のキー入力が行われると、以前に表示されていた画面が当該履歴に基づいて再表示されるので、ユーザは基本操作画面から前に表示していた画面に容易に戻ることができる。
【図面の簡単な説明】
【００１４】
【図１】実施形態に係る携帯電話機の機能構成を示す図である。
【図２】図１に示す携帯電話機のハードウェア構成を示す図である。
【図３】図１に示すデータベースに画面履歴が蓄積されていく例を示す図である。
【図４】図１に示す表示制御部の処理による画面切替の例を示す図である。
【図５】図１に示す携帯電話機により実行される画面履歴格納処理を示すフローチャートである。
【図６】図１に示す携帯電話機により実行される画面切替処理を示すフローチャートである。
【発明を実施するための形態】
【００１５】
以下、添付図面を参照しながら本発明の実施形態を詳細に説明する。本実施形態では、本発明に係る情報端末を携帯電話機に適用する。なお、図面の説明において同一又は同等の要素には同一の符号を付し、重複する説明を省略する。
【００１６】
まず、図１〜４を用いて、実施形態に係る携帯電話機１０の機能及び構成を説明する。携帯電話機１０は、通話機能やメール機能、ウェブブラウザ機能などを備える通信端末である。図１に示すように、携帯電話機１０は機能的構成要素として履歴格納部１１、データベース１２、受付部１３、及び表示制御部１４を備えている。
【００１７】
この携帯電話機１０は、図２に示すように、オペレーティングシステムやアプリケーション・プログラムなどを実行するＣＰＵ１０１と、ＲＯＭ及びＲＡＭで構成される主記憶部１０２と、メモリなどで構成される補助記憶部１０３と、データ通信を行う通信制御部１０４と、液晶モニタなどで構成される表示部１０５と、入力キーなどで構成される操作部１０６とで構成される。図１に示す各機能は、ＣＰＵ１０１及び主記憶部１０２の上に所定のプログラムを読み込ませ、ＣＰＵ１０１の制御の下で通信制御部１０４、表示部１０５及び操作部１０６を動作させるとともに、主記憶部１０２や補助記憶部１０３に対してデータの読み出し又は書き込みを行うことで実現される。データベースや処理に必要なデータは主記憶部１０２または補助記憶部１０３内に格納されている。
【００１８】
図１に戻って、履歴格納部１１は、携帯電話機１０内部で起動されたアプリケーション・プログラム（以下では単に「アプリケーション」ともいう）と、そのアプリケーションにより表示部１０５に表示された画面とを示す情報を画面履歴としてデータベース１２に格納する手段である。
【００１９】
履歴格納部１１は、携帯電話機１０の電源が入れられて待受画面が表示されると起動し、アプリケーションの起動及び動作や、当該アプリケーションにより表示される画面の遷移などを監視し始める。ここで、待受画面とは、携帯電話機１０の電源が入れられてそのオペレーティング・システム（ＯＳ）が起動したときに表示される、基本となる操作画面である。この待受画面（基本操作画面）は、ＯＳ起動時の初期画面、または当該初期画面と同等の画面であるとも言える。ユーザは、待受画面の表示中に操作部１０６を介して所定の操作を行うことで、所望のアプリケーションを起動したり、所望の画面を開いたりすることができる。
【００２０】
アプリケーションの例としては、例えばウェブブラウザやメール・ソフトウェア、音楽再生ソフトウェア、アドレス帳管理ソフトウェア、画像表示用ソフトウェア、端末設定用ソフトウェアなどが挙げられるが、これらに限定されるものではない。アプリケーションにより表示される画面としては、例えばウェブブラウザにより表示されるウェブサイト、メール・ソフトウェアにより表示される受信メール参照画面、音楽再生ソフトウェアにより表示される曲再生画面、アドレス帳管理ソフトウェアにより表示されるアドレス一覧画面、画像表示用ソフトウェアにより表示される静止画像、端末設定用ソフトウェアにより表示される機能設定メニューなどが挙げられるが、当然ながら画面の種類はこれらに限定されない。
【００２１】
履歴格納部１１は、操作部１０６を介してのユーザ操作により携帯電話機１０の内部でプロセスやタスクが発生したことを検出することで、当該プロセスあるいはタスクに対応するアプリケーションが起動したと判定する。そしてそのアプリケーションが監視対象のものである場合には、履歴格納部１１は続いて、当該アプリケーションにより表示された画面の情報を取得する。続いて履歴格納部１１は、履歴を特定する履歴番号と、起動したアプリケーションを特定するアプリケーション情報と、取得した画面に関する画面情報とを含む画面履歴を生成してデータベース１２に格納する。
【００２２】
なお、画面履歴として記憶する画面の種類、あるいは画面履歴の対象から除外する画面の種類が予め指定されていてもよい。例えば、待受画面において所定のボタンを一度押したときに表示される第１階層のメニュー画面や、送信済みのメールを表示する画面などを画面履歴の対象から外してもよい。
【００２３】
その後、起動中のアプリケーションにおいて画面が切り替わった場合には、履歴格納部１１は切替後の画面の情報を取得し、データベース１２に記憶されている当該アプリケーションの画面履歴の画面情報を、切替後の画面に関する画面情報で上書きする。履歴格納部１１はこのような上書き処理を、起動中の一のアプリケーションが終了するまで繰り返し実行し得る。従って、あるアプリケーションが終了した時点では、当該アプリケーションに関する画面履歴の画面情報は、最後に表示された画面に関するものとなる。
【００２４】
その後、監視対象である別のアプリケーションが起動されると、履歴格納部１１は新たな履歴番号と、当該別のアプリケーションを特定するアプリケーション情報と、取得した画面に関する画面情報とを含む画面履歴を生成してデータベース１２に格納する。その後、履歴格納部１１は当該別のアプリケーションが終了するまで必要に応じて上記のような上書き処理を実行する。
【００２５】
このような履歴格納部１１の処理、及びそれに伴ってデータベース１２に格納される画面履歴の例を図３を用いて説明する。履歴格納部１１が起動した後に、ユーザが受信メール一覧を参照するための操作を行ったことでメール・ソフトウェアが起動し、受信メール一覧画面が表示されると、履歴格納部１１は履歴番号「１」と、アプリケーション情報「メール・ソフトウェア」と、「受信メール一覧画面」を示す画面情報とを含む画面履歴Ｈａを生成してデータベース１２に格納（新規登録）する。その後、ユーザが受信メール一覧から一の受信メールＡを選択する操作を行ったことで表示画面が受信メール一覧画面から受信メールＡ表示画面に遷移すると、履歴格納部１１は画面履歴Ｈａの画面情報を「受信メール一覧画面」に関する情報から「受信メールＡ表示画面」に関する情報に更新する。
【００２６】
その後、ユーザがメール・ソフトウェアを終了する（閉じる）操作を行い、続いて端末設定のメニューを開く操作を行うと、履歴格納部１１は履歴番号「２」と、アプリケーション情報「端末設定用ソフトウェア」と、「メニューＢ表示画面」を示す画面情報とを含む画面履歴Ｈｂを生成してデータベース１２に格納（新規登録）する。
【００２７】
その後、ユーザが端末設定メニューを終了する（閉じる）操作を行い、続いてウェブブラウザを開く操作を行うと、履歴格納部１１は履歴番号「３」と、アプリケーション情報「ウェブブラウザ」と、「ウェブサイトＣの画面」を示す画面情報とを含む画面履歴Ｈｃを生成してデータベース１２に格納（新規登録）する。
【００２８】
その後、ユーザがウェブブラウザを終了する（閉じる）操作を行い、続いて端末設定のメニューを開く操作を行うと、履歴格納部１１は履歴番号「４」と、アプリケーション情報「端末設定用ソフトウェア」と、「メニューＤ表示画面」を示す画面情報とを含む画面履歴Ｈｄを生成してデータベース１２に格納（新規登録）する。端末設定用ソフトウェアに関しては既に画面履歴Ｈｂがデータベース１２に記憶されている。しかし、今回起動した端末設定用ソフトウェアのプロセス又はタスクは前回起動した端末設定用ソフトウェアのものとは異なるので、履歴格納部１１は画面履歴Ｈｂを更新するのではなく、新たに画面履歴Ｈｄを生成及び格納する。言い換えれば、アプリケーションの種類としては同じでも、一のプロセス（タスク）が一度終了し、その後新たなプロセス（タスク）が発生した場合には、履歴格納部１１は当該ソフトウェアに対して新たな画面履歴を生成する。
【００２９】
なお、データベース１２に記憶する画面履歴の最大個数は任意であり、例えば１でもよいし２０でもよい。データベース１２が満杯のときに新たな画面履歴が生成された場合には、最も古い画面履歴をデータベース１２から削除して履歴番号を１から振り直した上で、当該新たな画面履歴をデータベース１２に格納すればよい。
【００３０】
受付部１３は、待受画面が表示部１０５に表示されているときに、表示画面を待受画面から以前の画面に戻すためのキー入力を受け付ける手段である。このような操作を行うためのキーとしては、例えば「戻る」と表示されたソフトキーや、十字キーのうちの左キーなどが考えられるが、操作部１０６における具体的なキーの割当てや設定は任意に定めてよい。以下では、説明を簡単にするために、表示画面を待受画面から以前の画面に戻すためのキー入力を、「戻る」キーの入力という。
【００３１】
受付部１３は、表示部１０５に現在表示されている画面が待受画面か否かを判定すると共に、受け付けたキー入力の信号を解析することで、「戻る」キーの入力がなされたか否かを判定する。そして、待受画面が表示されている時に「戻る」キーの入力がなされたと判定した場合には、受付部１３は画面遷移を指示するための指示信号を生成して表示制御部１４に出力する。このとき、「戻る」キーの入力が複数回行われた場合には、受付部１３はその都度指示信号を生成および出力する。一方、「戻る」キーの入力がなされていないと判定した場合には、受付部１３はそこで処理を終了する。
【００３２】
表示制御部１４は、「戻る」キーの入力が受け付けられたことを契機としてデータベース１２から画面履歴を読み出し、該画面履歴で示されるアプリケーションを起動すると共に、該画面履歴で示される画面が表示部１０５に表示されるように該アプリケーションを制御する手段である。
【００３３】
待受画面が表示又は再表示された後に受付部１３から最初の指示信号が入力されると、表示制御部１４は履歴番号が最大である画面履歴、すなわち最後に表示された画面に関する情報をデータベース１２から読み出す。続いて、表示制御部１４は読み出した画面履歴のアプリケーション情報に対応するアプリケーションを起動し、当該履歴の画面情報で示される画面を表示させるための指示を当該アプリケーションに対して出力する。これにより、起動されたアプリケーションは画面情報で示される画面を表示部１０５に表示する。
【００３４】
その後、別の指示信号が入力される度に、表示制御部１４は履歴番号の降順に画面履歴を読み出し、画面表示をその都度切り替える。すなわち、表示制御部１４は現在起動中のアプリケーションを終了させた後に、次に読み出した画面履歴のアプリケーション情報に対応するアプリケーションを起動し、当該履歴の画面情報で示される画面を表示させるための指示を新たに起動したアプリケーションに対して出力する。
【００３５】
なお、データベース１２に画面履歴が一つも記憶されていない場合には、表示制御部１４は当該データベース１２へのアクセス後に処理を終了する。その結果、表示部１０５では待受画面が引き続き表示される。
【００３６】
図３に示す画面履歴Ｈａ〜Ｈｄがデータベース１２に記憶されている場合の画面切替の例を図４を用いて参照する。表示部１０５に待受画面Ｓｗが表示されているときに「戻る」キーＢが押されると、上述した表示制御部１４の処理により、画面履歴Ｈｄに基づいて端末設定用ソフトウェアが起動し、メニューＤに関する画面Ｓｄが表示される。その後更に「戻る」キーＢが押されると、画面履歴Ｈｃに基づいて起動アプリケーションがウェブブラウザに変わり、ウェブサイトＣに関する画面Ｓｃに表示が切り替わる。その後更に「戻る」キーＢが押されると、画面履歴Ｈｂに基づいて起動アプリケーションが端末設定用ソフトウェアに変わり、メニューＢに関する画面Ｓｂに表示が切り替わる。その後更に「戻る」キーＢが押されると、画面履歴Ｈａに基づいて起動アプリケーションがメール・ソフトウェアに変わり、受信メールＡに関する画面Ｓａに表示が切り替わる。
【００３７】
次に、図５，６を用いて、携帯電話機１０の動作を説明するとともに本実施形態に係る画面表示方法について説明する。
【００３８】
まず、図５を用いて、画面履歴を格納する処理（格納ステップ）について説明する。履歴格納部１１は、監視対象のアプリケーションの起動を検出すると（ステップＳ１１；ＹＥＳ）、そのアプリケーションにより表示された画面の情報を取得する（ステップＳ１２）。そして、履歴格納部１１は取得したアプリケーション情報や画面情報に基づいて画面履歴を作成し、データベース１２に格納（新規登録）する（ステップＳ１３）。その後、起動中のアプリケーションにおいて画面が切り替わった場合には（ステップＳ１４；ＹＥＳ）、履歴格納部１１は、上記ステップＳ１３で格納した画面履歴の画面情報を、切替後の画面に関する情報で上書きする。その後、監視対象の別のアプリケーションが起動した場合には、履歴格納部１１は上記ステップＳ１１〜Ｓ１５の処理を再び実行する。このような処理により、画面履歴がデータベース１２に蓄積される。
【００３９】
次に、図６を用いて、待受画面から前に表示された画面に切り替える処理を説明する。受付部１３が待受画面において「戻る」キーの入力があったと判定すると（ステップＳ２１；ＹＥＳ、受付ステップ）、表示制御部１４が、履歴番号が最大の画面履歴をデータベース１２から読み出す（ステップＳ２２、表示制御ステップ）。そして、表示制御部１４はその画面履歴に基づいてアプリケーションを起動し、そのアプリケーションを制御することで、当該履歴の画面情報で示される画面を表示させる（ステップＳ２３、表示制御ステップ）。
【００４０】
その後、受付部１３が更なる「戻る」キーの入力があったと判定した場合には（ステップＳ２４；ＹＥＳ、受付ステップ）、表示制御部１４が、履歴番号が次に大きい画面履歴をデータベース１２から読み出す（ステップＳ２５、表示制御ステップ）。そして、表示制御部１４はその画面履歴に基づいてアプリケーションを起動し、そのアプリケーションを制御することで、当該履歴の画面情報で示される画面を表示させる（ステップＳ２６、表示制御ステップ）。ステップＳ２４〜Ｓ２６の処理は繰り返し実行され得る。
【００４１】
以上説明したように、本実施形態によれば、まず、アプリケーション・プログラムにより表示された画面の履歴がデータベース１２に格納される。その後、待受画面の表示中に「戻る」キー入力が行われると、データベース１２内の画面履歴に基づいてアプリケーション・プログラムが起動し、以前に表示されていた画面が再表示される。したがってユーザは、待受画面から前に表示していた画面に容易に戻ることができる。
【００４２】
また本実施形態によれば、アプリケーション・プログラムが起動中に最後に表示された画面が再表示されるので、ユーザは当該プログラムを終了した直前の状態に戻って、必要であればそこから新たな操作を行うことができる。
【００４３】
また本実施形態によれば、「戻る」キーの入力が受け付けられる度に、アプリケーション・プログラム毎に、最後に表示された画面が再表示されるので、ユーザは短時間で別のアプリケーション・プログラムの画面まで辿ることができる。図３，４の例を用いて説明すると、例えば画面履歴Ｈｄに対応する端末設定用ソフトウェアにより複数の画面が表示されていたとしても、待受画面Ｓｗにおいて「戻る」キーの入力を２回行えば、ユーザは当該ソフトウェアよりも前に起動していたウェブブラウザの画面を表示させることができる。これは、ユーザが所望のアプリケーション・プログラムに早く辿れることを意味する。
【００４４】
以上、本発明をその実施形態に基づいて詳細に説明した。しかし、本発明は上記実施形態に限定されるものではない。本発明は、その要旨を逸脱しない範囲で様々な変形が可能である。
【００４５】
上記実施形態では携帯電話機に本発明を適用したが、携帯情報端末（ＰＤＡ）や、携帯型又は据置型のパーソナルコンピュータ（ＰＣ）、あるいはその他の情報端末などに本発明を適用してもよい。なお、通信機能の有無は問わない。例えばＰＣに本発明を適用した場合には、デスクトップ画面が基本操作画面に相当する。
【００４６】
上記実施形態では、履歴格納部１１が結果的に、アプリケーション毎に最後の表示画面に関する画面情報のみをデータベース１２に格納したが、画面履歴の格納方法はこれに限定されない。例えば、格納手段は表示部１０５に表示された画面について無条件で画面履歴としてデータベースに記憶してもよい。これに伴い、表示制御手段は所定のキー入力に応じて単純にその画面履歴に従って画面を順次切り替えてもよい。
【００４７】
上記実施形態では「戻る」キー入力を受け付けた場合の処理のみを示したが、待受画面と画面履歴で示される一以上の画面との間を自由に行き来できるように情報端末を構成してもよい。例えば図４の例において、画面Ｓｂから画面Ｓｃに移れるように情報端末を構成してもよい
【符号の説明】
【００４８】
１０…携帯電話機（情報端末）、１１…履歴格納部（格納手段）、１２…データベース、１３…受付部（受付手段）、１４…表示制御部（表示制御手段）、１０５…表示部（モニタ）、Ｓｗ…待受画面（基本操作画面）。
【図１】
2011205254.tif 000003
【図２】
2011205254.tif 000004
【図３】
2011205254.tif 000005
【図４】
2011205254.tif 000006
【図５】
2011205254.tif 000007
【図６】
2011205254.tif 000008